(57)【要約】【課題】防犯設備と連動して適切なモニタリングを可能にする監視システムを提供する。【解決手段】外部の複数のカメラ機器１４から画像信号を受けて、この画像信号を外部の複数のモニタ機器１６へ供給する監視装置１であって、外部の防災設備１２からの信号を受け、この信号の変化に基づいて画像信号の供給先を複数のモニタ機器の内の第１のモニタ機器からこれとは異なる第２のモニタ機器に変更する監視装置。【選択図】図１
2012053759.tif 000002
【特許請求の範囲】
【請求項１】
外部の複数のカメラ機器から画像信号を受けて、この画像信号を外部の複数のモニタ機器へ供給する監視装置であって、
外部の防災設備からの信号を受け、この信号の変化に基づいて、前記画像信号の供給先を、前記複数のモニタ機器の内の第１のモニタ機器からこれとは異なる第２のモニタ機器に変更することを特徴とする監視装置。
【発明の詳細な説明】
【技術分野】
【０００１】
この発明に係る実施形態は、監視カメラが接続される監視装置であって、防犯設備から供給される検出信号に応じて画像信号を出力する監視装置に関する。
【背景技術】
【０００２】
従来、複数の監視カメラから画像信号を受け、これを受けてモニタ機器に供給する監視装置が知られている。このような監視装置は、例えば、旋回式の監視カメラと防犯設備との組合せで、信号条件により所定のカメラ映像を自動で表示させ、旋回カメラを自動で動作させてそのポイントを監視するという方法がとられることが知られている。
【先行技術文献】
【特許文献】
【０００３】
【特許文献１】特開平８−１２４０６４号公報
【発明の概要】
【発明が解決しようとする課題】
【０００４】
しかしながら、監視装置が防犯設備と交わす連動信号は、オンとオフである信号条件であることが一般的であるが、防災設備側としてはオンとオフ以外にも状態を何段階かに分けて機能している設備も少なくない。例えば、火災報知機などは発報条件として、注意・警戒・火災と言ったように現場の状況によりその重要度毎に信号を検知している。また、通常の監視カメラでは仮に建物内が煙で充満されてしまった場合などは取り残された人物などを捕らえることができない。さらに、非常時はその混乱から人の動線が一箇所に集中してしまい、結果危険な状況になる可能性もある。
【０００５】
本発明は、防犯設備と連動して適切なモニタリングを可能にする監視システムを提供することを目的とする。
【課題を解決するための手段】
【０００６】
課題を解決するための実施形態は、
外部の複数のカメラ機器（１４）から画像信号を受けて、この画像信号を外部の複数のモニタ機器（１６）へ供給する監視装置（１）であって、
外部の防災設備（１２）からの信号を受け、この信号の変化に基づいて、前記画像信号の供給先を、前記複数のモニタ機器の内の第１のモニタ機器からこれとは異なる第２のモニタ機器に変更することを特徴とする監視装置である。
【発明の効果】
【０００７】
この発明によれば、外部の防災設備からの情報を参照し、これを監視装置の動作に反映させるものであり、一例として、防災設備からの防災情報に応じて、防災状況に応じて必要なカメラの画像が必要なモニタ機器に供給され、効率的な監視処理を実現して、監視員の負荷を軽減する。
【図面の簡単な説明】
【０００８】
【図１】本発明の一実施形態である監視システムの構成の一例を示すブロック図。
【図２】同じく監視システムが行う通報処理の一例を示すフローチャート。
【図３】同じく監視システムが行うモニタ処理の一例を示すフローチャート。
【発明を実施するための形態】
【０００９】
以下、図面を参照してこの発明に係わる実施形態を説明する。  
本発明の一実施形態である監視システムの構成の一例を図１を用いて以下に詳細に説明する。図１は、本発明の一実施形態である監視システムの構成の一例を示すブロック図である。すなわち、監視システム１は、図１に示すように、主に監視カメラ制御装置１１と、防犯設備１２からなるものであり、防犯設備１２は、この防犯設備１２に接続されており温度の上昇等から火災を検出して防犯設備１２に通告する火災報知器１３と、警報ボタン等が押下されることで犯罪等を防犯設備１２に通告する防犯センサ１３’と、施設の音響システム等を通じて音声等により災害等を知らせて避難等を促す放送設備１８と、避難者が避難する方向等を誘導する誘導灯１９と、同じく避難者が避難する経路等を案内する案内板２０を有している。
【００１０】
さらに、監視システム１は、図１に示すように、監視カメラ制御装置１１と、これに接続されており、回旋が可能な機構をもっており監視のための複数のカメラ１４と、同じく回旋が可能な機構をもっており遠赤外線により夜間や火災時の煙が充満した場合等も撮影が可能な複数の遠赤外線カメラ１５と、カメラ１４および遠赤外線カメラ１５からの画像を受けるとこれを出力して表示するための複数のモニタ機器１６と、この監視システム１等を遠隔操作するための操作端末１７を有している。
【００１１】
このような構成をもっている監視システム１は、以下に図２のフローチャートが示すように、避難者等のための通報処理を行う。一般に、防災設備は、複数段階の状況認識を行う場合が多く、例えば火災報知機などは発報条件として、注意・警戒・火災と言ったように現場の状況によりその重要度毎に信号を検知している。従って、防災設備からの段階的な状況通告（一例として、注意の場合の通常監視モード、警戒の場合の厳重監視モード、火災の場合の緊急監視モード）に応じて、監視カメラ制御装置１１での対応方法を異ならせることが有効となる。
【００１２】
すなわち、監視カメラ制御装置１１は、一例として、防犯設備１２から緊急監視モード（火災発生時）の通知を受けたかどうかを判断する（ステップＳ１）。そして、監視カメラ制御装置１１は、防犯設備１２から緊急監視モード（火災発生時）の通知を受けた際に、図示しない監視カメラ制御装置１１の画像解析部により、カメラ１４または遠赤外線カメラ１５から供給された画像信号を解析して、画像の移動ベクトルを検出する。移動ベクトルが検出できたら、移動ベクトルに対応した画像に人物が含まれているかどうかを予め記憶している画像等と比較することで判断する（ステップＳ２）。監視カメラ制御装置１１は、移動ベクトルに対応した画像に人物が含まれていると判断すると、画像に人物等が含んでいたことをカメラ１４の位置情報と共に例えば防犯設備１２に通知する（ステップＳ３）。防犯設備１２においては、監視カメラ制御装置１１からこの画像に人物等が含んでいたことを示す通知を受けると、この通知をトリガーとして、一例として、カメラ１４の位置情報に対応した適切な位置の誘導灯１９または案内板２０を駆動することで、一例として、避難者等に避難を誘導したり案内したりする（ステップＳ４）。また、同様に、防犯設備１２においては、監視カメラ制御装置１１からこの画像に人物等が含んでいたことを示す通知を受けると、この通知をトリガーとして、放送設備１８を用いて、避難者等を相手に避難を誘導することができる（ステップＳ５）。これにより、監視システム１の防災設備１２は、避難者の存在する場所に直接、避難の誘導を行うことができる。
【００１３】
また、通常の監視カメラでは仮に建物内が煙で充満されてしまった場合などは取り残された人物などを捕らえることができない。さらに、非常時はその混乱から人の動線が一箇所に集中してしまい、結果的に危険な状況になる可能性もある。
【００１４】
このような状況を考慮すると、監視カメラ制御装置１１において、防犯設備１２からの段階的な通知を考慮して、この通知に基いて処理を異ならせることが有効となる。すなわち、一例として、図３のフローチャートが示すように、監視カメラ制御装置１１は、防犯設備１２から通常の状態である「通常監視モード」の通知を受けている場合は（ステップＳ１１）、監視の対象エリアの近傍のカメラからの画像を、予め指定されたモニタ機器へ表示する（ステップＳ１２）。しかし、監視カメラ制御装置１１は、防犯設備１２から警報を受けた注意の状態である「厳重監視モード」の通知を受けた場合は（ステップＳ１１）、複数のカメラ１４の画像から、特に、避難者の動線（予測された人が集中するエリアの動線、または、動きベクトルが検出されたカメラ１４で推定される動線）に対応するカメラの画像とモニタ機器を選択する（ステップＳ１３）。そして、選択したカメラの画像を選択したモニタ機器に供給して表示させる（ステップＳ１４）。以上のように、「通常監視モード」、「厳重監視モード」のごく一例を説明したが、防犯設備１２からの通知について、さらに、火災を認識した状態である「緊急監視モード」や他のモードを認識し、それぞれのモードに固有の処理を選択的に行うことが好適である。
【００１５】
その他の場合についても、この発明の要旨を逸脱しない範囲で種々変形して実施可能である。要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００１６】
１‥監視システム、１１‥監視カメラ制御装置、１２‥防犯設備、１３‥火災報知器、１３’‥防犯センサ、１４‥カメラ、１５‥遠赤外線カメラ、１６‥モニタ、１７‥操作端末、１８‥放送設備、１９‥誘導灯、２０‥案内板。
【図１】
2012053759.tif 000003
【図２】
2012053759.tif 000004
【図３】
2012053759.tif 000005